(57)【特許請求の範囲】
【請求項１】
中間巻き上げ機構（２５）を介して時計（１００）または時計ムーブメント（１０）の動力源（２０）を形成するための制御機構（１）であって、この制御機構（１）は、巻芯（３）と、この巻芯（３）を少なくとも平行移動させて駆動するように配置された巻き上げボタン（２）とを備え、前記巻芯（３）は、前記動力源を形成するための少なくとも最初の長手方向の位置（Ｔ０）を定めることができ、前記巻芯（３）の長さの一部は環状の巻芯（３２）またはねじ状の巻芯（３１）であり、ユーザが前記巻芯（３）を押し、または引っ張ることによって、前記巻芯（３）が平行に移動するとき、巻芯（３）は回転しつつ平行移動、または平行移動のみをして、巻き上げ駆動手段（４）を駆動するように配置され、移動は前記巻芯（３）の前記最初の長手方向の位置（Ｔ０）と最大押し込み位置または引き出し位置（ＴＬ）との間に限定され、前記最大押し込み位置と最大引き出し位置（ＴＬ）は不安定な位置であり、弾性復元手段（５）によって、前記巻芯（３）は前記最初の位置（Ｔ０）に戻り、前記巻き上げ駆動手段（４）は中間巻き上げ機構（２５）を駆動する駆動手段（２６）を有し、前記駆動手段（２６）は巻き上げ輪列（２１）を駆動するための取り外し可能な香箱中間車（４１）を含み、前記香箱中間車（４１）は前記中間巻き上げ機構（２５）に含まれ、前記香箱中間車（４１）は前記巻芯（３）の平行移動に沿って移動可能であり、恒久的に前記巻芯（３）と噛み合い続けていることを特徴とする制御機構（１）。
【請求項２】
請求項１に記載の制御機構（１）であって、前記巻き上げボタン（２）はさらに前記巻芯（３）を枢動するように配置され、前記巻芯（３）は、前記巻芯（３）の平行移動を介した前記最初の長手方向の位置（Ｔ０）に加えて、表示機構を設定するために前記巻芯（３）の枢動移動を介して少なくとも１つの他の長手方向の位置（Ｔ１；Ｔ２）を定めることができることを特徴とする制御機構（１）。
【請求項３】
請求項１〜２のいずれか１項に記載の制御機構（１）であって、前記巻芯（３）は誘導溝（１１）によって、直接的または間接的に、少なくとも第１のレバーを介して、引き出し部品（１３）の第１のアーム（１２）を駆動するように配置され、前記引き出し部品（１３）の前記第１のアーム（１２）は、直接的または間接的に、少なくとも第２のレバー（１４）を介して、前記巻芯（３）が備える平行移動誘導手段（１６）上のつづみ車（１５）の動作を制御するように配置され、前記つづみ車（１５）は前記巻芯（３）に対する平行移動において１つの自由度のみを有し、前記巻芯（３）と一体化して回転可能な駆動手段（１７）によって回転し、この回転により、前記巻芯（３）上の前記つづみ車（１５）の前記長手方向の位置によって、前記つづみ車（１５）を前記時計（１００）または前記時計ムーブメント（１０）の機能の表示を設定するための調整ホイールセット（１８）と噛み合わせるか、または前記つづみ車（１５）を前記時計（１００）または前記時計ムーブメント（１０）の他の機能と連結するホイールセットと噛み合わせるか、または前記つづみ車（１５）を、前記時計（１００）または前記時計ムーブメント（１０）の前記機能に前記つづみ車（１５）が何の影響も与えない中立位置に置くかのいずれかであることを特徴とする制御機構（１）。
【請求項４】
請求項３に記載の制御機構（１）であって、１つの前記調整ホイールセット（１８）は、前記時計（１００）または前記時計ムーブメント（１０）の時間を設定するための分車セット（１８Ａ）であることを特徴とする制御機構（１）。
【請求項５】
請求項１〜４のいずれか１項に記載の制御機構（１）であって、前記弾性復元手段（５）は少なくとも１つのばね（８）を含み、前記ばね（８）は、前記巻芯（３）と、つづみ車（１５）の運動を制御するための引き出し部品（１３）のアームとの間に挿入された１つのレバーと一体化されていることを特徴とする制御機構（１）。
【請求項６】
請求項１〜５のいずれか１項に記載の制御機構（１）であって、前記弾性復元手段（５）は、押すこと、引っ張ることによって動作する少なくとも１つのばね（８）を有し、前記巻芯（３）の前記最初の安定した長手方向の位置（Ｔ０）から前記不安定な引き出し位置（ＴＬ）まで、ユーザによって前記巻芯（３）が前記時計（１００）に押し込まれるか、または前記時計（１００）から引き出されるとき、前記ばね（８）は前記巻芯（３）を押し、または引っ張り、前記弾性復元手段（５）は、前記巻芯（３）の前記長手方向の位置を表示するための要素を、前記最初の位置（Ｔ０）とは異なる少なくとも１つの他の安定した位置で形成し、少なくとも１つの切り欠き（９）を介して、前記巻芯（３）が起動する引き出し部品（１３）が備えるフィンガ（１３１）と協働し、つづみ車（１５）の動作を制御することを特徴とする制御機構（１）。
【請求項７】
請求項１〜６のいずれか１項に記載の制御機構（１）であって、前記巻芯（３）は前記中間巻き上げ機構（２５）の駆動手段（２６）を駆動するための、取り外し可能な香箱中間車（６）を枢動するように配置され、前記香箱中間車（６）は移動可能に取り付けられ、２つの位置（Ｐ１、Ｐ２）を定めることができ、連動位置（Ｐ１）では、ユーザが前記弾性復元手段（５）を押し、または引っ張ることによって、前記巻芯（３）が巻き上げ（Ｓ１）の第１の方向において平行移動するとき、前記香箱中間車（６）は前記駆動手段（２６）と噛み合い、前記開放位置（Ｐ２）では、前記巻芯（３）が、前記第１の巻き上げ方向（Ｓ１）とは反対の第２の復元方向（Ｓ２）において前記弾性復元手段（５）によって平行移動するとき、前記香箱中間車（６）は前記駆動手段（２６）から開放されることを特徴とする制御機構（１）。
【請求項８】
請求項７に記載の制御機構（１）であって、前記香箱中間車（６）はアーモンド型の軸（６２）上で誘導される円筒形の孔（６１）を有し、前記香箱中間車（６）は、前記孔（６１）が前記軸（６２）の第１の表面（６３）に当接したとき、前記連動位置（Ｐ１）を占めることができ、前記孔（６１）が前記第１の表面（６３）と対向する第２の表面（６４）に当接したとき、前記開放位置（Ｐ２）を占めることができることを特徴とする制御機構（１）。
【請求項９】
請求項７に記載の制御機構（１）であって、前記香箱中間車（６）は、２つの係止部材（６８；６９）の間で、バーまたは地板（６７）の長方形の穴（６６）内で動くことができる軸（６５）を有し、前記香箱中間車（６）は前記軸（６５）が前記長方形の穴（６６）の第１の係止部材（６８）に当接したとき、前記連動位置（Ｐ１）を占めることができ、前記軸（６５）が前記長方形の穴（６６）の第２の係止部材（６９）に当接したとき、前記開放位置（Ｐ２）を占めることができることを特徴とする制御機構（１）。
【請求項１０】
請求項１〜９のいずれか１項に記載の、少なくとも１つの制御機構（１）を含む時計ムーブメント（１０）。
【請求項１１】
請求項１〜９のいずれか１項に記載の、少なくとも１つの制御機構（１）、および／または請求項１０に記載の少なくとも１つのムーブメント（１０）を含む時計（１００）。
【発明の詳細な説明】
【技術分野】
【０００１】
本発明は、中間巻き上げ機構を介して、時計または時計ムーブメントの動力源を形成するための制御機構に関する。この機構は、巻芯と、少なくとも平行移動において、巻芯を駆動するように配置される巻き上げボタンとを備えている。巻芯は少なくとも動力源を形成するための最初の長手方向の位置を占めることができる。巻芯の一部は環状、またはねじ状である。ユーザが巻芯を押し、または引っ張ることによって、巻芯が平行に移動するとき、巻芯は、回転および／または平行移動によって、巻き上げ駆動手段を駆動するように配置されている。この移動は、最初の長手方向の位置と、巻芯を最大に押し込んだ位置、またはそれぞれ引っ張った位置との間に限定される。この最大位置は不安定な位置であり、巻芯は弾性復元手段によって最初の位置に戻る。
【０００２】
本発明はまた、この制御機構を装備する時計ムーブメントに関する。
【０００３】
本発明はまた、ムーブメントまたは前記制御機構を装備する時計に関する。
【０００４】
本発明は、時計製作法の分野、より具体的には、腕時計、懐中時計などの携帯用時計に関する。
【背景技術】
【０００５】
従来の構成では、巻芯を特定の位置で回転させることにより、手動巻き上げを行う。
【０００６】
従来の技術の主な欠点は、従来の巻き上げ機構の設計の空間要件、複雑さおよび費用に関連し、具体的には次の事項がある。
−２つの高価なブレゲ歯が、つづみ車およびきち車上にあること。
−きち車と丸穴車との噛み合いが９０度であること。
−調速機は、つづみ車を、時間を調整する小鉄車と、きち車とに交互に噛み合あわせること。
−丸穴車と噛み合うきち車の直径が大きいため（つづみ車の直径より大きい）、システムの高さが相対的に高くなること。
−複数の段階で、切断および型打ちされた部品。
−多数の構成部品。
【０００７】
従来の巻き上げ機構に対して、キーまたは巻き上げリューズによる、既知の改良が多数存在する。しかし、従来の巻き上げ機構または自動巻き上げ機構以外の種類の巻き上げ機構に対処する多くの改良につながる特許文献はほとんどない。
【０００８】
設定機能に加え、巻芯の軸方向の動作を利用して、巻き上げ時にムーブメントに損傷を与えないトルク制御機構を実施した文献もある。
【０００９】
Ｂｒｅｉｔｌｉｎｇによる特許文献１では、巻芯を有する巻き上げボタン管を開示している。巻き上げボタン管は２つの部分で、お互いにフックによって連結し、回転方向において恒久的に一体化するが、互いに軸方向にはプッシュボタンを移動することが可能である。この軸方向の移動は、巻き上げボタンを軸方向に押すことによって起こる。巻き上げボタンは、巻き上げボタンを休止位置に戻すための復帰ばねを内包している。巻き上げボタンが、２つの芯部分が装着されたスリーブを押すと、ムーブメントレバーに当接する。時間設定は巻き上げボタンが引き出し位置にある状態で従来の方法で行う。
【００１０】
Ｂｒｅｉｔｌｉｎｇによる他の特許文献２では、これらの２つの芯部分の代わりに、摺動スリーブにピンで留めた芯を用いる。摺動スリーブは、２つの対向するスロットを備え、スロットの中では接続ピンが移動する。スリーブの底部端部は同様の方法でレバーに当接する。
【００１１】
Ｂｕｅｃｈｌｅｒによる他の特許文献３では、また、巻き上げボタンと一体化するばねと協働し、同様に２つの部分の芯からなる構成を開示している。巻き上げ位置は巻き上げボタンの中立位置であり、一方、押し込み位置は、巻芯によって秒針を再設定する、他の機能に対応している。
【００１２】
この種類の機構はＲｉｃｈｅｍｏｎｔによる特許文献４によって改良されている。機構の目的は、ばねによる非常に高い応力からムーブメントを保護することであり、この機構は、第２の補正ばねを含む。巻き上げボタンを押すと、管は制御部材上にまで押され、クロノグラフまたは時間帯機能を制御する一方、巻き上げ機能は巻き上げボタンの特定の位置と引き続き結合する。
【００１３】
Ｗａｔｃｈ−Ｕ−Ｌｉｃｅｎｓｅによる特許文献５では、ディスクを備えた超薄型の機構を開示している。ディスクの軸は互いに平行であり、巻芯の方向に対しては直角である。巻芯内では、板ばねは所定のホイールセットを有し、巻芯を押すと、他のホイールセットとの係合または他のホイールセットからの開放が可能になる。
【００１４】
Ｌｕｔｏｌｆによる特許文献６では、らせん状のばねの形式で、動力蓄積手段を開示している。動力蓄積手段は、ラックまたは直接的に特別なかなによって巻き上げられる。この駆動部材を用いて、具体的には、従来の香箱のひげぜんまいを巻き上げることができる。
【００１５】
ＰＲＩＨＯＤＡによる特許文献７では、芯を引っ張ることによって巻き上げる懐中時計を開示している。芯のショルダは枢動歯部を押し、きち車を巻き上げる。
【００１６】
ＳＣＨＵＬＥＲによる特許文献８では、ラックを含む芯を操作することによって、および、きち車を直接駆動することによって巻き上げるミニチュア時計の機構を開示している。
【００１７】
ＪＡＣＣＡＲＤによる特許文献９では、往復運動を行う引き出し部品制御機構を開示している。引き出し部品には、枢動歯部を制御するために、ラック、コハゼまたはフィンガのいずれかを装着している。
【００１８】
特許文献１０では、引っ張ることによって制御かなと協働する溝付きの軸を開示している。
【００１９】
他にも、様々な弾性押しボタン装置が既に知られている。弾性押しボタン装置は、一般的には巻き上げリミッタとして考案され、巻芯の方向に沿ってばねを組み込む解除機構を備えている。
【００２０】
様々な教示を用いても、経済的な製造費用で、小型の巻き上げ機構を得ることは不可能である。
【先行技術文献】
【特許文献】
【００２１】
【特許文献１】スイス特許第２４１９６１号
【特許文献２】スイス特許第２４１９６３号
【特許文献３】フランス特許第９２３９２２号
【特許文献４】国際公開第２００５／０３８５３８号
【特許文献５】米国特許第６７１１０９９号
【特許文献６】国際公開第２００８／１１４０７１号
【特許文献７】米国特許第１２４４１２７号
【特許文献８】ドイツ実用新案第１４０２８６３号
【特許文献９】スイス特許出願第１４０１６４号
【特許文献１０】特開昭５０−０９１３５８
【発明の概要】
【課題を解決するための手段】
【００２２】
本発明は従来の技術の問題および限度を克服するために、構成部品とアセンブリどちらに関しても経済的な費用で製造でき、機構の調整費用も経済的な、小型の制御機構を提案する。
【００２３】
本発明はしたがって、中間巻き上げ機構を介して時計または時計ムーブメントの動力源を形成するための制御機構に関する。巻き上げ機構は、巻芯と、巻芯を少なくとも平行移動して駆動するように配置される巻き上げボタンとを備えている。巻芯は、動力源を形成するための少なくとも最初の長手方向の位置を定めることができる。巻芯の長さの一部は環状またはねじ状である。ユーザが巻芯を押し、または引っ張ることによって巻芯が平行移動するとき、巻芯は回転および／または平行移動して、巻き上げ駆動手段を駆動するように配置される。この移動は、巻芯の最初の長手方向の位置と、最大押し込み位置または引き出した位置との間に限定される。最大に引き出した位置は不安定な位置であり、巻芯は弾性復元手段によって最初の位置に戻る。巻き上げ駆動手段は中間巻き上げ機構を駆動する手段を含む。駆動手段は巻き上げ輪列を駆動するための取り外し可能な香箱中間車を有する。香箱中間車は中間巻き上げ機構に含まれ、巻芯の平行移動と平行に移動可能であり、恒久的に巻芯と噛み合い続けることを特徴とする。
【００２４】
本発明の一特徴によれば、巻き上げボタンはまた、最初の動力充填位置に加えて、巻芯の平行移動を介して巻芯を枢動するように配置される。巻芯は、表示機構を調整するために、巻芯の枢動移動によって、少なくとも１つの他の長手方向の位置を占めることができる。
【００２５】
本発明の他の特徴によれば、巻芯は誘導溝において、直接的または間接的に、少なくとも第１のレバーを介して、引き出し部品のアームを駆動するように配置される。引き出し部品のアームは、直接的または間接的に、少なくとも第２のレバーを介して、巻芯が備える平行移動誘導手段上のつづみ車の動作を制御するように配置される。つづみ車は、巻芯に対する平行移動によって、１つの自由度のみを有し、巻芯と一体化して、回転可能な駆動手段によって回転する。それにより、巻芯上のつづみ車の長手方向の位置によって、つづみ車を時計または時計ムーブメントの機能の表示を設定するための調整ホイールセットと噛み合わせるか、またはつづみ車を時計または時計ムーブメントの他の機能と連結するホイールセットと噛み合わせるか、またはつづみ車を、時計または時計ムーブメントの機能に何の影響も与えない中立位置に置くかのいずれかとする。
【００２６】
本発明の他の特徴によれば、弾性復元手段は少なくとも１つのばねを含む。このばねは、巻芯と、つづみ車の運動を制御するための引き出し部品のアームとの間に挿入された、少なくとも１つのレバーと一体化される。
【００２７】
本発明のさらに他の特徴によれば、弾性復元手段は、ボタンを押すこと、引っ張ることによって動作する少なくとも１つのばねを含む。このばねは、巻芯の最初の安定した長手方向の位置から、不安定な最大押し込み位置または引き出し位置まで、ユーザによって時計に押し込まれるか、またはそれぞれ時計から引き出されるとき、巻芯を押し、または引っ張る。弾性復元手段はまた、巻芯の長手方向の位置を表示するための要素を、最初の位置とは異なる少なくとも１つの他の安定した位置で形成する。また、少なくとも１つの切り欠きを介して、巻芯が起動する引き出し部品が備えるフィンガと協働し、つづみ車の動作を制御する。
【００２８】
本発明の他の特徴によれば、巻芯は、中間巻き上げ機構の駆動手段を駆動するための、取り外し可能な香箱中間車を枢動するように配置される。香箱中間車は移動可能なように取り付けられ、２つの位置を占めることができる。１つは連動位置であり、ユーザが弾性復元手段を押し、または引っ張ることによって、巻芯が第１の巻き上げ方向において平行移動するとき、香箱中間車は駆動手段と噛み合う。他の１つの位置は開放位置であり、巻芯が第１の巻き上げ方向とは反対の第２の復元方向において、弾性復元手段によって平行移動するとき、香箱中間車は駆動手段から開放される。
【００２９】
本発明の他の特徴によれば、香箱中間車は、アーモンド型の軸の上で誘導される円筒形の穴を含む。それによって、孔が前記軸の第１の表面に当接したとき香箱中間車は連動位置を占めることができ、孔が第１の表面に対向する第２の表面に当接したとき開放位置を占めることができる。
【００３０】
本発明の他の特徴によれば、香箱中間車は、２つの係止部材との間で、バーまたは地板の長方形の穴において移動することができる軸を含む。これによって、香箱中間車は、軸が長方形の穴の第１の係止部材に当接するとき連動位置を占めることができ、軸が長方形の穴の第２の係止部材に当接するとき開放位置を占めることができる。
【００３１】
本発明の他の特徴によれば、巻芯は巻き上げレバーを枢動するように配置される。巻き上げレバーは２つの位置を占めることができる。最初の位置は連動位置であり、ユーザが弾性復元手段を押し、または引っ張ることによって、巻芯が第１の巻き上げ方向において平行移動するとき、巻き上げレバーは、巻き上げ輪列または香箱ラチェットと噛み合う。他の１つの位置は開放位置であり、巻芯が弾性復元手段によって、第１の巻き上げ方向とは反対の第２の復元方向において平行移動するとき、レバーは巻き上げ輪列またはラチェットから開放される。
【００３２】
本発明のさらに他の特徴によれば、弾性復元手段は、弾性を有するレバーである巻き上げレバーから形成される。
【００３３】
本発明の他の特徴によれば、巻き上げレバーは、巻芯に略平行であって、バーまたは地板の第１のピンと協働する第１の長方形の穴と、バーまたは地板の第２のピンと協働する第２の略三角形の穴とを有する。第２の穴は巻芯の方向に対して、巻き上げレバーにわずかな角度の空間を提供する。巻き上げレバーと、一方では第１のピンとの間の相対的な動作と、他方では第２のピンとの間の相対的な動作とを組み合わせると、巻き上げレバーが備える端部歯は、巻き上げを目的として、巻芯の第１の平行移動の方向において、香箱ラチェットが備える歯部と協働することができる。端部歯は、第１の方向とは反対の芯の第２の平行移動の方向において、歯部から後退することができる。
【００３４】
本発明は、従来の技術の問題を克服し、回転動作を平行移動の動作と置き換えることによって独創的な機構を提供する。
【００３５】
本発明はまた、巻き上げ機構を取り付けた時計ムーブメントに関する。
【００３６】
本発明はまた、少なくとも１つの巻き上げ機構または１つのムーブメントを含む時計に関する。
【図面の簡単な説明】
【００３７】
本発明の他の特徴および有利点は、添付図を参照して、以下の詳細な説明を読むことによって明らかとなろう。
【００３８】
【図１】ムーブメントと、動力源と、本発明による巻き上げ制御機構とを備えた時計を示すブロック図。
【図２】本発明による巻き上げ機構の第１の変形の正面部分概略図を示す。図中、巻芯は、ねじ状の部分を含み、巻芯に固定した巻き上げボタンを押すことによって、巻き上げが可能となる最初の位置にある。
【図３】図２と同じ構造であって、日付設定位置となる巻芯の第１の引き出し位置にある巻き上げた状態を示す。この位置では、押すことによって時計を巻き上げることはできない。
【図４】図２と同じ構造であって、針設定位置となる巻芯の第２の引き出し位置にある巻き上げた状態を示す。この位置では、押すことによって時計を巻き上げることはできない。
【図５】本発明による巻き上げ機構の他の変形例の正面部分概略図を示す。図中、巻芯は、環状の部分を含み、巻芯に固定した巻き上げボタンを押すことによって巻き上げが可能となる最初の位置にある。
【図６】図５と同じ構造であって、巻芯が第1の動作方向において最初の位置から押し込まれている巻き上げた状態を示す。
【図７】図５と同じ構造であって、巻芯が第１の動作方向と反対の第２の動作方向において、弾性復元手段によって図６の動作の結果として位置する押し込み位置から最初の位置まで戻る巻き上げた状態を示す。
【図８】図５と同じ構造であって、日付設定位置となる巻芯の第１の引き出し位置にある巻き上げた状態を示す。この位置では、押すことによって時計を巻き上げることはできない。
【図９】図５と同じ構造であって、針設定位置となる巻芯の第２の引き出し位置にある巻き上げた状態を示す。この位置では、押すことによって時計を巻き上げることはできない。
【図１０Ａ】図５から図９の変形例において、中間巻き上げ機構に対して、巻芯を連結または解除するための機構の詳細な正面部分概略図を示す。
【図１０Ｂ】図５から図９の変形例において、中間巻き上げ機構に対して、巻芯を連結または解除するための機構の詳細な正面部分概略図を示す。
【図１０Ｃ】図５から図９の変形例において、中間巻き上げ機構に対して、巻芯を連結または解除するための機構の詳細な正面部分概略図を示す。
【図１１Ａ】図２から図４の変形例において、中間巻き上げ機構に対して、巻芯を連結または解除するための機構の断面部分概略図を示す。
【図１１Ｂ】図２から図４の変形例において、中間巻き上げ機構に対して、巻芯を連結または解除するための機構の正面部分概略図を示す。
【図１１Ｃ】図２から図４の変形例において、中間巻き上げ機構に対して、巻芯を連結または解除するための機構の正面部分概略図を示す。
【図１１Ｄ】図２から図４の変形例において、中間巻き上げ機構に対して、巻芯を連結または解除するための機構の正面部分概略図を示す。
【図１２】他の変形例で用いることができる巻芯のための弾性復元手段を形成するばねの詳細な正面部分概略図を示す。
【図１３】他の変形例で用いることができる巻芯のための弾性復元手段を形成する他のばねの詳細な正面部分概略図を示す。
【図１４】本発明による巻き上げ機構の詳細な正面部分概略図を示す。図中、巻芯は巻き上げレバーを平行に操作して中間巻き上げ機構を駆動する。
【図１５】本発明による巻き上げ機構の詳細な正面部分概略図を示す。図中、巻芯は他の巻き上げレバーを回転して操作して中間巻き上げ機構を駆動する。
【図１６】図２から図９に例示した本発明の変形例に組み込まれたつづみ車の概略図を示す。
【図１７】本発明による巻き上げ機構の詳細な正面部分概略図を示す。図中、巻芯は巻き上げレバーを単独で平行に操作して中間巻き上げ機構を駆動する。
【発明を実施するための形態】
【００３９】
本発明は、時計製作法の分野、より具体的には、腕時計、懐中時計などの携帯用時計に関する。
【００４０】
本発明は、より具体的には、制御機構１に関する。
【００４１】
本明細書でより具体的に記載する本発明は、巻き上げ機構の好ましい事例に関する。ただし、巻き上げ機構は、他の機構を制御するため、具体的には針設定、日付または任意の表示機構を調整するためにも適用可能である。
【００４２】
具体的な実施例では、制御機構１を、図１のブロック図に示すように、中間巻き上げ機構２５を介して、時計１００または時計ムーブメント１０の動力源２０を形成するための巻き上げ機構として創作した。この中間巻き上げ機構２５は、好ましくは巻き上げ輪列２１または香箱ラチェット２２を有する。
【００４３】
例示する本発明の実施例では、具体的には、動力源２０は、香箱ラチェット２２によって巻き上げられる時計１００の香箱車２２０である。
【００４４】
制御機構１は巻き上げボタン２を含み、巻き上げボタン２は、巻芯３を少なくとも平行移動において駆動するように配置される。この巻芯３は、動力を充填するための、少なくとも１つの最初の長手方向の位置Ｔ０を占めることができる。
【００４５】
本発明によれば、巻芯３の一部は、図５から図９に示すように環状の巻芯３２、または図２から図４に示すようにねじ状の巻芯３１である。ユーザが巻芯３を押し、または引っ張ることによって、巻芯３が軸線方向Ｄに沿って平行に移動するときに、巻芯は回転および／または平行移動して、巻き上げ駆動手段４を駆動するように配置されている。巻芯３の移動は、巻芯３の最初の長手方向の位置Ｔ０と最大押し込み位置または最大引き出し位置ＴＬとの間の移動に限定される。この端部位置ＴＬは不安定な位置である。巻芯３は弾性復元手段５によって最初の位置Ｔ０に戻る。
【００４６】
本明細書における本発明では、巻芯３は軸線方向Ｄに直線的に動く好ましい適用例を記載している。ただし、当然のことながら、曲線の巻芯３を用いて、曲線の輪郭に沿って、具体的には円形の輪郭に沿って動くように適用することもできる。この場合は、平行運動は枢動に変わる。
【００４７】
本発明はまた、ユーザが押すことによって巻き上げ手段を駆動する好ましい構成においてのみ説明および例示されている。引っ張ることによって動力を加える反対の例も可能であるが、ユーザにとっては不便であり、後で説明する位置の順序が変化する。
【００４８】
本発明によれば、巻き上げ駆動手段４は、中間巻き上げ機構２５を駆動する駆動手段２６を含む。以下に説明するように、様々な事例が生じることがある。
−動力源２０を巻き上げ輪列２１を介して形成する場合は、駆動手段２６は、巻き上げ輪列２１を駆動するための取り外し可能な香箱中間車４１を含む。
−または、動力源２０をレバーまたは香箱ラチェット２２を介して形成する場合は、駆動手段２６は、香箱ラチェット２２を駆動するための巻き上げレバー４２を含む。
【００４９】
巻き上げボタン２は、巻芯３を枢動するように配置されることがここでも好ましい。巻芯３は、巻芯の平行運動によって動力源を形成するための最初の位置Ｔ０に加え、巻芯３の枢動運動によって表示機構を設定するために、少なくとも１つの、他の長手方向の位置Ｔ１、Ｔ２．．．を定めることができる。
【００５０】
本明細書に例示する本発明では、巻芯３はＴ０、Ｔ１、Ｔ２の３つの位置を、非限定的に定める。当然のことながら、同一の巻芯３は、他の機能を制御するために、他の位置を定めることも可能である。
【００５１】
具体的な適用例では、巻き上げボタン２を巻芯３と一体化して取り付ける。巻き上げボタン２は取り外し可能であってよく、または間接的に巻芯３を駆動してもよい。
【００５２】
図示しない他の具体的な例では、ムーブメント１０は２つの芯を含む。そのうち１つは機能、具体的には日付と時間を設定し、他の１つは巻き上げのみを目的とし、プッシュボタンで形成してもよい。したがって、このように２つの芯を持つ構成にすると、単一の位置Ｔ０において巻き上げ機能のみを実施する芯を有することが可能である。
【００５３】
巻芯３は、ガイド溝１１によって、直接的または間接的に、少なくとも第１のレバーを介して、引き出し部品１３の第１のアーム１２を駆動するように配置される。この引き出し部品１３は、少なくとも第２のレバー１４を介して、具体的には第２のレバー１４のアーム１４Ａを介して、巻芯３が備える平行移動誘導手段１６上でつづみ車１５の動作を、直接的または間接的に制御するように配置される。
【００５４】
このつづみ車１５は、アーム１４Ａが備える溝１４１によって、アーム１４Ａと協働し、巻芯３に対する平行移動において１つの自由度のみを有する。つづみ車１５は、回転駆動手段１７を介して、巻芯３と一体化して回転する。これは、巻芯３上のつづみ車１５の長手方向の位置によって、つづみ車１５を、時計１００またはムーブメント１０の機能の表示を設定するための小鉄車セット１８と噛み合わせるか、または、つづみ車１５を、時計１００またはムーブメント１０の他の機能と関連するホイールセットと噛み合わせるか、またはつづみ車１５を、時計１００またはムーブメント１０の機能に何の影響も与えない中立位置に置くかのいずれかを目的とする。
【００５５】
回転可能な駆動手段１７は、巻芯３または同様の要素の、外側のオススプライン溝と協働する内側のメススプライン溝によって形成されることもある。図では、巻芯３の四角を介する通常の駆動構成を例示する。
【００５６】
好ましくは、少なくとも１つの小鉄車セット１８は、時計１００または時計ムーブメント１０の時間を設定するための分車セット１８Ａである。
【００５７】
図示しない具体的な実施形態では、つづみ車１５は、最初の巻き上げ位置Ｔ０以外のつづみ車１５の長手方向の位置の１つにおいて、他の香箱車セットと協働するように配置される。他の香箱車セットは、直接的または間接的に、他の香箱ラチェットを駆動する。したがって、本発明の変形例として、複数の異なる動力源部材を備えていてもよい。たとえば、第１の香箱はムーブメントを駆動し、第２の香箱は打刻機構を駆動するように、ユーザが巻き上げボタンを様々に操作することによって、巻き上げられるようにしてもよい。たとえば、巻芯が位置Ｔ０にあるときに、芯を押すこと、または引っ張ることによって、動力源の１つを巻き上げ、巻芯３が他の位置Ｔ１にあるときには、他の動力源を巻き上げる。位置Ｔ１においては、ユーザが巻芯３を回転することによって操作する。巻芯３が位置Ｔ０にあるときに、他の動力源も巻き上げてもよいことに留意されたい。
【００５８】
具体的な実施形態では、弾性復元手段５は少なくとも１つのばね８を含む。本実施形態は限定的なものではなく、弾性復元手段５は本発明の範囲を逸脱することなく、他の形態を採ってもよい。
【００５９】
このばね８を様々な方法で配置してもよい。具体的には、非限定的な構造において、次のように配置してもよい。
−図２から図４に示すように、ばね８が主要枢軸８Ａに固定される引き出し部品ばね１３３であるとき、ばね８は第２のレバー１４と一体化する。主要枢軸８Ａはまた、本非限定的実施形態においては、引き出し部品１３の枢軸でもある。引き出し部品１３は、２次枢軸８Ｂに固定される。レバーは２次枢軸８Ｂの回りを枢動する。好ましい本実施形態では、引き出し部品ばね８は枢動しない。
−図１４および図１５に示すように、ばね８を巻き上げレバー４２と一体化するか、または巻き上げレバー４２に連結する。
−図１３に示すように、ばね８を地板６７に固定し、係止部材８Ｃによって予応力を与える。ばね８は巻芯３のショルダと協働する。
【００６０】
さらに他の変形例では、ばね８を第２のレバー１４に一体化するか、または第２のレバー１４に蝶番で留めてもよい。ばね８と第２のレバー１４の両方を、この主要枢軸８Ａの回り、および第２のレバー１４と一体化して取り付けられる２次枢軸８Ｂの回りを枢動させてもよい。
【００６１】
好ましい変形例では、弾性復元手段５は少なくとも１つのばね８を含む。少なくとも１つのばね８は押し込まれたとき、または引っ張られたときの両方において、それぞれ次のように作動する。ユーザが巻芯３を時計１００またはムーブメント１０に押し込むときには巻芯３を押し返し、ユーザが巻芯３を、最初の安定した長手方向の位置Ｔ０から不安定な位置ＴＬまで、時計１００またはムーブメント１０からそれぞれ引き出すときには巻芯３を引っ張る。不安定な位置ＴＬでは、巻芯３はできる限り押し込まれるか、またはそれぞれ引き出される。弾性復元手段５は最初の位置Ｔ０以外の、少なくとも１つの他の安定した位置において、巻芯３の長手方向の位置を示すための要素を形成する。弾性復元手段５はまた、少なくとも１つの切り欠き９を介して、巻芯３が起動する引き出し部品１３が備えるフィンガ１３１と協働し、つづみ車１５の動作を制御する。図２から図４、および図１２は、切り欠き９Ａ、９Ｂ、９Ｃを含む本実施例のばね８を例示する。切り欠き９Ａ、９Ｂ、９Ｃは、引き出し部品１３のフィンガ１３１と協働するように配置され、位置Ｔ０、Ｔ１およびＴ２のそれぞれにおいて、巻芯３を安定した位置に固定する。傾斜１３６は、巻芯３を戻すために用いる。有利には、この傾斜１３６を配置して、ユーザが力を加えすぎても過剰に移動しないようにする。
【００６２】
図に例示する具体的な実施形態では、巻芯３は、中間巻き上げ機構２５の駆動手段２６を駆動するための、取り外し可能な香箱中間車６を枢動するように配置されている。香箱中間車６は動作可能に取り付けられ、２つの位置Ｐ１、Ｐ２を占めることができる（図１１Ｃ、図１１Ｄ参照）。連動位置Ｐ１では、ユーザが弾性復元手段５を押し、または引っ張ることによって、巻芯３が第１の巻き上げ方向Ｓ１において平行移動するとき、香箱中間車６は駆動手段２６と噛み合う。開放位置Ｐ２では、巻芯３が第１の巻き上げ方向Ｓ１とは反対の第２の復元方向Ｓ２において、弾性復元手段５によって平行移動するとき、香箱中間車６は駆動手段２６から開放される。
【００６３】
他の変形例では、この香箱中間車６は１つの巻き上げ輪列またはラチェット２２とのみ協働する。香箱中間車６は単一の歯部を有する。単一の歯部は、一方では、巻芯３および環状の巻芯３２またはねじ状の巻芯３１と協働するように、他方では中間角穴車と協働するように配置される。この香箱中間車６はブレゲ歯を有さず、つづみ車１５と協働しない。香箱中間車６の軸はムーブメント１０のバーまたは地板６７に直角である。
【００６４】
好ましくは、ユーザが弾性復元手段５を押すことによって、巻芯３は第１の巻き上げ方向Ｓ１において平行移動する。この移動は、最初の安定した押し込み位置Ｔ０と、巻芯がさらに時計１００に押し込まれた位置である他の不安定な位置ＴＬとの間で行われる。
【００６５】
本発明の具体的な実施形態では、香箱中間車６は、中間巻き上げ機構２５の噛み合い中間車７、具体的には香箱車２２０を巻き上げるように配置される、香箱ラチェット２２の噛み合い中間車７と連結位置で協働するように配置されている。
【００６６】
図５から図９、および図１０Ａから図１０Ｃに例示する変形例では、香箱中間車６は、アーモンド型の軸６２の上で誘導される円筒形の孔６１を有する。これによって、孔６１が軸６２の第１の表面６３に当接したとき、香箱中間車６は連動位置Ｐ１を占め、孔６１が第１の表面６３に対向する第２の表面６４に当接したとき、開放位置Ｐ２を占めることができる。巻芯３は弾性復元手段５によって、具体的にはばね８によって元に戻るとき、香箱中間車６はアーモンド型の軸６２の内側部分に当接し、軸６２は香箱中間車６をラチェットの中間噛み合い車から開放する効果を有する。
【００６７】
本発明の具体的な実施形態では、アーモンド型の軸６２に対する香箱中間車６の移動は、円筒形の孔６１の半径の半分より小さい。
【００６８】
図２から図４および図１１Ａから図１１Ｄに例示する他の変形例では、香箱中間車６は、２つの係止部材６８と６９との間で、バーまたは地板６７の長方形の穴６６において移動する軸６５を含む。それによって、香箱中間車６は、軸６５が長方形の穴６６の第１の係止部材６８に当接するときに、連動位置Ｐ１を占めることができ、軸６５が長方形の穴６６の第２の係止部材６９に当接するとき、開放位置Ｐ２を占めることができる。
【００６９】
本発明の具体的な実施形態では、長方形の穴６６に対する香箱中間車６の移動は、香箱中間車６の軸６５の半径の半分より小さい。
【００７０】
図５から図９に示す具体的な実施形態の例では、巻芯３は環状の巻芯３２であり、香箱中間車６は巻き上げ輪列２１と協働する。巻き上げ輪列２１は、第１の歯部７１と、第２の歯部７２と協働するように配置される。第１の歯部７１は香箱中間車６と協働するように、第２の歯部７２は、中間巻き上げ機構２５、具体的には香箱ラチェット２２の中間噛み合い車と協働するように、それぞれ配置されている。
【００７１】
別の具体的な実施形態では、香箱中間車６は単一の歯部を含む。単一の歯部は、一方では、環状の巻芯３と協働し、他方では、香箱ラチェット２２のこの中間噛み合い車と協働するように配置される。
【００７２】
本発明の具体的かつ好ましい実施形態では、香箱中間車６とつづみ車１５の唯一の接続は、性質上間接的であり、巻芯３によって実現する。巻芯３は、一方では、つづみ車１５を有し、香箱中間車６が回転して移動するときには、かなを回転して駆動する。また、巻芯３は、他方では、香箱中間車６が平行移動するときには、香箱中間車６、または巻き上げレバー４２を枢動させて駆動する。
【００７３】
香箱中間車６は、好ましくは、機構１が備えるバーまたは地板６７に垂直な軸の回りを枢動させて移動可能である。
【００７４】
本発明の他の具体的な実施形態では、図１４から図１５に示すように、巻芯３は巻き上げレバー４２を回転および／または平行移動して駆動するように配置する。この巻き上げレバー４２は２つの位置Ｐ１およびＰ２を定めることができる。連動位置Ｐ１では、ユーザが弾性復元手段５を押し、または引っ張ることによって、巻芯３が第１の巻き上げ方向Ｓ１において平行移動するとき、巻き上げレバー４２は動作の結果として直接的または間接的に香箱ラチェット２２と噛み合う。開放位置Ｐ２では、巻芯３が第１の巻き上げ方向Ｓ１とは反対の第２の復元方向Ｓ２において、弾性復元手段５によって平行移動するとき、巻き上げレバー４２はラチェットの中間噛み合い車から開放される。
【００７５】
図１５は、巻芯３が単純に巻き上げレバー４２を枢動する変形例を例示している。
【００７６】
有利な実施形態では、弾性復元手段５を実際の巻き上げレバー４２と一体化することである。具体的な変形例では、巻き上げレバー４２は弾性を有するレバーである。
【００７７】
本発明の具体的な実施形態では、この弾性を有するレバー４２は香箱ラチェット２２と協働する。具体的な実施形態では、弾性を有するレバー４２は、つめを形成する端部歯８１を含む。つめは香箱ラチェット２２と協働するように配置される。
【００７８】
図１４に例示する変形例では、巻き上げレバー４２は基本的に平行移動運動に対応し、端部歯８１を有する。巻き上げレバー４２はさらに、巻芯３に略平行であって、バーまたは地板６７の第１のピン８３と協働する第１の長方形の穴８２と、バーまたは地板の第２のピン８５と協働する第２の略三角形の穴８４とを有する。この第２の穴８４は巻芯３の軸線Ｄに対して、巻き上げレバー４２に、約０°から１０°のわずかな空間を形成する。巻き上げレバー４２と、一方では第１のピン８３との間の相対的な動作と、他方では第２のピン８５との間の相対的な動作とを組み合わせると、端部歯８１は、巻き上げを目的として、巻芯の第１の平行移動の方向Ｓ１において、香箱ラチェット２２の歯部と協働でき、端部歯８１は、第１の平行移動の方向Ｓ１と反対の巻芯３の第２の平行移動方向Ｓ２において、後退することができる。図１４のこの変形では、枢動部品は復元移動を開放するためにのみ用いられるため、巻芯３と巻き上げレバー４２との間の運動は基本的に平行移動として起こる。
【００７９】
図１７は純粋な平行移動運動を行う変形例を例示したものである。２つの穴８２はばね８を誘導する。２つの穴８２はバーまたは地板６７の２つのピン８３に接してお互いに平行である。ばね８は突起８１を有する。このばね８は、巻き上げを目的として巻芯が第１の方向Ｓ１に平行移動する際、座屈に対しては堅固であり、巻芯３が第１の方向Ｓ１とは反対の第２の方向に平行移動する際の引っ張りに対しては弾性を有するため、ラチェット２２からばね８を開放できる。
【００８０】
本発明によれば、巻芯が最初の安定した位置Ｔ０にあるとき、巻芯３の長さの一部は環状またはねじ状であり、香箱中間車６、または巻き上げレバー４２を適宜駆動する。最初の安定した位置Ｔ０は、好ましくは巻芯３を押し込んだ位置である。巻芯３が他の安定した位置Ｔ１、Ｔ２にあるとき、巻芯３の長さ方向の他の部分は、巻芯３の移動の一部にわたって、好ましくは、香箱中間車６またはそれぞれの巻き上げレバー４２から距離をとるように自由である。他の安定した位置Ｔ１、Ｔ２は、好ましくは、図８および図９に示すように、最初の押し込んだ安定した位置Ｔ０に対して引き出した位置である。図８および図９において、円筒形の孔６１は開放位置Ｐ２を占める。この位置では、図１０Ｂに示すように、孔６１は第２の表面６４に当接する。次に、香箱中間車４１は巻き上げ輪列から開放される。
【００８１】
従来の実施形態では、位置Ｔ１、Ｔ２のうち１つは針の機構１８Ａを設定し、他方は日付１５６を設定することを目的とする。通常は、位置Ｔ１は日付専用に設定し、位置Ｔ２は時間専用として設定する。これらの安定した各位置では、巻芯３を枢動する方向は、異なる設定に対応してもよく、他の安定した長手方向の位置を用いてもよい。したがって、時計１００が備えるコンプリケーションによって、曜日、ムーンフェーズ、時間帯、午前／午後の時刻、または他の設定を補完的に調整することが可能となる。
【００８２】
具体的な配置例では、ねじ状の巻芯３１は、ねじ状の部分をウォームの形で形成する。ねじ状の部分は、香箱中間車６が備える星車または歯部、または香箱中間車６と協働する中間輪列が備える星車または歯部と協働するように配置される。
【００８３】
他の変形例では、引き出し部品１３および第２のレバー１４との組み合わせによって、巻芯３はつづみ車１５の動作を制御する。つづみ車１５を平行移動するための、この第２の制御レバー１４は、図２から図４に示すように、複数の係止位置１４１Ａ、１４１Ｂ、１４１Ｃを含む通路１４１を有する。これらの各係止位置は、引き出し部品１３が備えるフィンガ１３２、または引き出し部品１３に蝶番で留めたレバーと協働するように配置される。これらの各係止位置は巻芯３の安定した位置に対応する。これらの係止位置の１つである位置１４１Ａは、巻芯３の最初の安定した位置Ｔ０に対応し、この位置では巻き上げが可能である。他の位置１４１Ｂ、または他の位置１４１Ｂ、１４１Ｃ、．．．は巻芯３の安定した位置Ｔ１、Ｔ２、．．．に対応する。これらの位置では巻き上げは不可能であり、少なくとも１つの調整を行うことができる。巻き上げ範囲は、図６および図７に示すように、通路１４１Ｒの対象となる距離に対応する。
【００８４】
具体的な実施形態では、つづみ車１５を平行して移動するための第２の制御レバー１４は、引き出し部品ばね１３３を接続するための２次枢軸８Ｂを有する。引き出し部品ばね１３３は弾性復元手段５のばね８を形成する。この引き出し部品ばね１３３は、複数の切り欠き９Ａ、９Ｂ、９Ｃを含み、主要枢軸８Ａによって引き出し部品１３、または引き出し部品１３に蝶番で留めたレバーに接続する。この具体的な構成では、引き出し部品ばね８は枢動せず、枢軸８Ａおよび８Ｂは、ばね８に関して、単一のフッキングピンを形成する。
【００８５】
この引き出し部品１３、または引き出し部品１３に蝶番で留めたレバーは、ピンまたはフィンガ１３１を有する。ピンまたはフィンガ１３１は引き出し部品ばね１３３の切り欠き９Ａ、９Ｂ、９Ｃのうち１つと協働するように配置されている。このピンまたはフィンガが切り欠き９Ａ、９Ｂ、９Ｃのうち１つと協働する各位置は、巻芯３の安定した位置に対応する。このうちの１つの位置９Ａは巻芯３の最初の安定した位置Ｔ０に対応し、この位置では巻き上げが可能である。他の位置は、巻芯３の安定した位置Ｔ１、Ｔ２、．．．に対応し、これらの位置では巻き上げは不可能であり、少なくとも１つの調整を行うことができる。
【００８６】
好ましい実施形態では、この引き出し部品ばね１３３は、切り欠き９Ａ、９Ｂ、９Ｃの後部に、復元力を実行するため、または動作を起こさせるための傾斜１３６を有する。
【００８７】
図１３に示す具体的な実施形態では、機構１は、少なくとも１つのばね８を弾性復元手段５として含む。ばね８は、巻き上げ時に、ユーザが巻芯３を押す力に対向するように配置される。ばね８には、機構１またはムーブメント１０または時計１００のバーまたは地板６７が備える係止部材８Ｃによって予応力を与える。
【００８８】
日付表示を含むムーブメント１０の有利な実施形態において、つづみ車１５は、溝１５１の両側に、つづみ車１５の動作を制御する第２のレバー１４と協働するために、一方では、針の機構１８Ａと協働するための正面歯部１５２と、他方では傾斜面またはらせん状の傾斜１５３とを含む。傾斜面またはらせん状の傾斜１５３の１つの突出端部１５４は、日付表示リング１５６の内側歯部１５５と、１つの方向のみで協働するように配置される。
【００８９】
有利には、つづみ車１５は、合成材料またはプラスチック材料から形成する。
【００９０】
本発明の具体的な特徴によれば、制御機構１はつづみ車１５の最大直径値によって離間される２つの平行面の間に含まれる。
【００９１】
本発明の有利点は、ユーザが加えることができる強い力が、最小のトルクを要する機能に割り当てられることである。
【００９２】
本発明は、時計１００に用いることができる任意の動力源２０に関することは明らかである。動力源２０は、図に例示するようにムーブメント１０を駆動するための香箱車２２０、または打刻もしくは他の機構を駆動するための香箱である。
【００９３】
本発明の原理を、電気動力源を充填するため、ダイヤルまたは夜行時計の表示を点灯するために適用するように考案することは、完全に可能である。
【００９４】
同様に、押す動作、または引っ張る動作による効果は、本発明による制御機構１によって適切に変換され、または電界および／または磁界を修正または生成するために用いることができる。
【００９５】
したがって「巻き上げ」は、動力源の任意の動力形成（充填）を含むものと理解すべきである。
【００９６】
芯を押すことによって巻き上げる本制御機構は、従来技術の欠点を克服し、さらに従来の巻き上げ機構に対する独創的な代替を提示するものである。
【００９７】
図２から図９に例示する実施例では、巻芯３の位置は次の機能に対応する。
−第１の最初の位置Ｔ０で、巻き上げボタンを回転する場合：中立。つまり、巻き上げ、時間または日付の設定に影響はない。
−第１の最初の位置Ｔ０で、巻き上げボタンを適宜押し、または引っ張る場合：巻き上げ動作を行う。時間または日付の設定に影響はない。
−第２の位置Ｔ１で、巻き上げボタンを回転する場合：時間または日付をそれぞれ補正する。巻き上げに影響はない。
−第２の位置Ｔ１で、巻き上げボタンを押す場合：芯の環状またはねじ状の部分は、もはや香箱中間車またはレバーと噛み合わず、時間または日付の設定に影響はない。巻芯３が環状の巻芯３２である場合、巻き上げにも影響はない。逆に、巻芯３がねじ状の巻芯３１である場合、巻き上げボタンをねじ込み方向に回転すると、巻き上げに影響を与えることもある。
−第３の位置Ｔ２で、巻き上げボタンを回転する場合：時間または日付をそれぞれ補正する。巻芯３が環状の巻芯３２の場合、巻き上げに影響はない。
−第３の位置Ｔ２で、巻き上げボタンを押す場合：巻芯の環状またはねじ状の部分はもはや香箱中間車またはレバーと噛み合わず、巻き上げに影響はない。時間または日付の設定に影響はない。
【００９８】
巻き上げへの影響は様々であり、巻芯の動作順序によって変化する。位置Ｔ０から位置Ｔ１、次に位置Ｔ２に変化する間には、巻き上げには影響しない。しかし、巻芯の長さによって、位置Ｔ２から位置Ｔ０、Ｔ２から位置Ｔ１、Ｔ１から位置Ｔ０に変化する際には、影響があることもある。
【００９９】
機構１を大幅に小さくして完全に一体化することによって、角穴車までの様々な中間歯車を含み、つづみ車の直径に対応する高さにできるように、機構１の研究を行っている。
【０１００】
つまり、図に例示する非限定的な変形、および少数の構成部品を備える実施形態において、本発明は、以下から成る。
−従来の芯を環状またはねじ状の巻芯と交換する。環状またはねじ状の巻芯は、引き出し部品アームを誘導する溝と、つづみ車を誘導する角穴とを備える。
−ブレゲ歯のきち車を香箱中間車または巻き上げレバーと交換する。
−通常の丸穴車を中間噛み合い角穴車と交換する。
−具体的な実施形態では、通常のブレゲ歯のつづみ車を単純化したつづみ車と交換する。単純化したつづみ車は、レバーと協働する溝の両側に、一方では、時間表示機構のための針の機構と協働する正面歯部を含み、他方では、日付設定のための傾斜面またはらせん状の傾斜部分を設ける。傾斜面またはらせん状の傾斜部分の突出端部は、日付表示リングの内側の歯部と、１つの方向のみにおいて協働するように配置される。
−レバーばねを実際のレバーに一体化する。
−通常の引き出し部品ジャンパばねを修正または削除する。
−具体的な実施形態では、新しい単純化したつづみ車を合成材料で、たとえば射出成形によって作成する。
−巻芯をねじ切削で作成する。
−引き出し部品およびレバーを平面状に、切り出し部分として作成する。
【０１０１】
これにより、本発明は、非常に経済的に製造できる。
【０１０２】
これにより、本機構の高さを、新しいつづみ車の直径まで、たとえば１．５ｍｍまで縮小することができる。
【０１０３】
ブレゲ歯を削除し、それにより大幅にコストを削減する。
【０１０４】
きち車と丸穴車との間の、通常の９０°の連動を削除する。
【０１０５】
第１の中間引き出し位置における日付修正機能と、巻芯を完全に引き出した第２の位置における時間修正機能を、従来の構造で、単純な機構を用いて実現する。
【０１０６】
主要巻き上げ機能は、芯の１つの特定の位置においてのみ可能である。つまり、好ましくは、芯を押し込んだ位置であり、好ましくは芯を押し込むことによって実行する。
【０１０７】
引き出し部品およびレバーの運動は、機能を分離する具体的な方法において実現される。これによって、巻き上げが可能な位置である最初の位置Ｔ０に巻芯があるとき、つづみ車は針の機構および日付リングの両方から距離をおくことができる。
【０１０８】
巻芯の環状部分が平行移動することによって、新しい香箱中間車を駆動すると、巻芯が押し込まれているとき、香箱中間車は、アーモンド型の軸の外側部分上で誘導される傾向がある。アーモンド型の軸は香箱中間車を担持する。したがってこれにより、香箱中間車は中間噛み合い角穴車と協働することができる。
【０１０９】
芯をケースの外側に動かす傾向があるばね上に、芯を取り付けてもよい。
【０１１０】
香箱は、ユーザが大きな力を加えなくても、数回押すことによって完全に巻き上げられる。
【０１１１】
したがって、巻き上げ時間および日付設定機能は完全に分離する。
【０１１２】
本発明はまた、この種類の制御機構１を備える時計ムーブメント１０に関する。
【０１１３】
本発明はまた、少なくとも１つのこの種のムーブメント１０および／またはこの種の１つの制御機構を装着する時計１００に関する。
【０１１４】
本発明による機構は、具体的には、 超薄型の時計を作成するために非常に適している。
【図１】
0005483765.tif 000002
【図２】
0005483765.tif 000003
【図３】
0005483765.tif 000004
【図４】
0005483765.tif 000005
【図５】
0005483765.tif 000006
【図６】
0005483765.tif 000007
【図７】
0005483765.tif 000008
【図８】
0005483765.tif 000009
【図９】
0005483765.tif 000010
【図１０Ａ】
0005483765.tif 000011
【図１０Ｂ】
0005483765.tif 000012
【図１０Ｃ】
0005483765.tif 000013
【図１１Ａ】
0005483765.tif 000014
【図１１Ｂ】
0005483765.tif 000015
【図１１Ｃ】
0005483765.tif 000016
【図１１Ｄ】
0005483765.tif 000017
【図１２】
0005483765.tif 000018
【図１３】
0005483765.tif 000019
【図１４】
0005483765.tif 000020
【図１５】
0005483765.tif 000021
【図１６】
0005483765.tif 000022
【図１７】
0005483765.tif 000023